(57)【要約】【課題】ユーザの所有する洋服と店舗に陳列された洋服との組み合わせを確認することのできるシステムを提供する。【解決手段】ネットワーク上の画像保管サーバ1に保存された洋服の画像データを、フレーム画像に変換してカメラ付携帯電話機にダウンロードさせる。ユーザは該ダウンロードしたフレーム画像をカメラ付携帯電話機のファインダに表示させ、ファインダの空きスペースに店舗に陳列された洋服を合わせることにより、手持ちの洋服と実際の洋服との組み合わせを確認することが可能となる。【選択図】図１
2005266865.tif 000002
【特許請求の範囲】
【請求項１】
ネットワークを介して取り込んだ複数の画像データをユーザ情報及び付属情報に基づいて分類して保管する画像保管装置において、ネットワーク接続可能なユーザ端末の要求に応じて、前記分類して保管した画像データをフレーム画像に変換し、前記ネットワーク接続可能なユーザ端末へ提供することを特徴とする画像管理装置。
【請求項２】
前記複数の画像データは、特定のフレーム画像を用いて撮影されたことにより、縮尺が統一であることを特徴とする請求項１に記載の画像管理装置。
【請求項３】
前記ユーザ端末は、カメラ付携帯電話機であることを特徴とする請求項１または２に記載の画像管理装置。
【請求項４】
ユーザ端末の要求に応じ、前記分類して保管した画像データのうち2点以上をサイズ調整した上で組み合わせて、前記ユーザ端末の画面上に表示させる画像調整・表示手段を備えることを特徴とする請求項１から３のうちいずれか1項に記載の画像管理装置。
【請求項５】
ネットワークを介して取り込んだ複数の画像データをユーザ情報及び付属情報に基づいて分類して保管する画像管理方法において、ネットワーク接続可能なユーザ端末の要求に応じて、前記分類して保管した画像データをフレーム画像に変換し、前記ネットワーク接続可能なユーザ端末へ提供することを特徴とする画像調整・表示方法。
【請求項６】
前記複数の画像データは、特定のフレーム画像を用いて撮影されたことにより、縮尺が統一であることを特徴とする請求項５に記載の画像調整・表示方法。
【請求項７】
前記ユーザ端末は、カメラ付携帯電話機であることを特徴とする請求項５または６に記載の画像調整・表示方法。
【請求項８】
ユーザ端末の要求に応じ、前記分類して保管した画像データのうち2点以上を、サイズ調整した上で組み合わせて前記ユーザ端末の画面上に表示させることを特徴とする請求項５から７のうちいずれか１項に記載の画像調整・表示方法。
【発明の詳細な説明】
【技術分野】
【０００１】
本発明は、ネットワーク上のサーバに保存した画像データをネットワーク接続可能なユーザ端末の要求に応じてコーディネートフレーム画像へ変換してダウンロードさせることを可能とする画像調整・表示方法及び画像調整・表示装置に関するものである。
【背景技術】
【０００２】
人は洋服の購入を決定する際、その洋服が自分の好みに合うかどうか、価格は予算に見合っているか、サイズが自分に合っているか等を考慮するが、なかでも購入を決定付ける大きな要素として、「自分の所有している洋服と組み合わせられるかどうか」がある。例えば気になるスカートを見つけたときは、手持ちのブラウスやセーター、ジャケット等と組み合わせられるかどうかを考え、十分活用できると思えば購入する。
【０００３】
一方、自分の所有する洋服と全く組み合わせることができないと思うような洋服であっても、一目見て気に入ったものであれば、手持ちの洋服に合うかどうかに関係なく購入する場合もある。
【発明の開示】
【発明が解決しようとする課題】
【０００４】
しかしその場で自分の所有している洋服を思い浮かべ、その洋服と店舗に陳列されている洋服との組み合わせを想像することは、容易なことではない。そのため、既に所有している洋服と非常に良く似たものを再び購入してしまったり、購入後に着回しがきかないことに気付きほとんど着用しなくなってしまう場合もある。
【０００５】
そこで本発明は、ユーザの所有する洋服と店舗に陳列された洋服との組み合わせを確認することを可能とすることを課題とする。
【課題を解決するための手段】
【０００６】
本発明は前記課題を解決するため、ネットワークを介して取り込んだ複数の画像データをユーザ情報及び付属情報に基づいて分類して保管する画像保管装置において、ネットワーク接続可能なユーザ端末の要求に応じて、前記分類して保管した画像データをコーディネートフレーム画像に変換し、前記ネットワーク接続可能なユーザ端末へ提供することを特徴とする。
【０００７】
「付属情報」は画像データの検索や分類に用いるための情報であり、ユーザが入力した洋服の種類、色等の情報を用いることができる。
【０００８】
「撮影用フレーム画像」とは、洋服の撮影時にカメラのファインダに表示させる、額縁がわりの画像である。あらかじめ用意された撮影用のフレーム画像内に洋服が収まるように撮影することにより、画像保管装置へ保存される画像データは全て同じ縮尺に統一することができる。
【０００９】
また、コーディネートフレーム画像に変換した画像データをカメラ付ユーザ端末のファインダに表示させ、実際の洋服を前記ファインダの空きスペースに合わせることにより、両者の組み合わせを確認することが可能である。これにより、画像保管装置に分類して保管された画像データのうち複数を組み合わせて、違和感のないコーディネート画像を作成することが可能である。
【発明の効果】
【００１０】
以上の手段により、時間・場所を問わず手持ちの洋服を確認すること、さらにそれらと店舗に陳列された洋服との組み合わせを確認することが可能となる。
【発明を実施するための最良の形態】
【００１１】
以下本発明の実施の形態について図面を参照して説明する。
図1は、本発明の実施の形態に係る画像調整・表示システムの構成を示す図である。図１に示すように、本実施形態の画像調整・表示システムは、ユーザからの会員登録や画像データのアップロードを受け付けて保存・管理する画像保管サーバ1と、ユーザの使用する携帯電話機2から構成される。画像保管サーバ1と携帯電話機2は、インターネット3及び移動通信網4を介して相互に接続されている。
【００１２】
画像保管サーバ1は、具体的には図2に示すようにデータベース部11と、携帯電話機2からアクセスがあったときに携帯電話機2に表示する画面を生成するウェブサーバ部12と、携帯電話機2との間の電子メールの送受信を行うメールサーバ部13と、画像保管サーバ1のドメインネームを管理するドメインネームサーバ部14と、インターネットに接続され、画像保管サーバ1を不正侵入から保護するファイアウォール部15と、データベース部11、ウェブサーバ部12、メールサーバ部13、ドメインネームサーバ部14、ファイアウォール部15を管理・制御する管理／制御部16とを備えている。
【００１３】
管理／制御部16は、例えば、新たなユーザ登録情報を受信するとユーザID及びパスワードを発行したり、データベース部11に記憶されている画像データと各種情報とを関連付けしたり、画像データの分類を行ったりする。
【００１４】
データベース部11は、会員登録情報と、携帯電話機2から送信された大量の画像データを保管可能なように、大容量のハードディスクからなる。データベース部11は、携帯電話機2から送信されたユーザ登録情報、画像データ及びこれらの画像データについての付属情報とにより構成される。従って、携帯電話機2が新たなユーザ登録情報または画像データまたはこれらの画像データについての付属情報を送信すると、データベース部11が更新される。
【００１５】
ここでいう「ユーザ登録情報」は、具体的には、ユーザID、パスワード、氏名、生年月日、性別、住所、携帯電話番号、電子メールアドレスにより構成される。また、「付属情報」とは、画像データの検索や分類に用いるための情報であり、洋服の種類、色等の情報により構成される。
【００１６】
携帯電話機2は、カメラ機能、インターネット接続機能、画像表示機能を有しており、インターネット3及び移動通信網4を介して画像保管サーバ1と通信を行うことが可能である。画像データやユーザ登録情報を画像保管サーバ1に登録したり、登録された画像データを確認したり、画像データ同士を組み合わせてコーディネートを作成したりする際に用いられる。なお、本発明において利用されるユーザ端末は、携帯電話機2に限定されず、インターネット接続機能と画像表示機能を備えたパソコン、ゲーム機、PHS及びPDA等画像表示可能な端末であっても良い。
【実施例】
【００１７】
以下、このような画像調整・表示システムを衣料品店にて買い物をする際に利用した場合の具体的実施例について、図3〜図19を参照して説明する。図3は、画像データを画像保管サーバへ1登録するまでの動作を説明する流れ図である。
【００１８】
ユーザはまず、携帯電話機2を用いて画像保管サーバ1のウェブサーバ部12へアクセスし、ユーザ登録画面にてユーザ登録情報を入力する（ステップS1）。図4にユーザ登録画面の例を示す。ユーザ登録情報は、氏名121、生年月日122、性別123、住所124、携帯電話番号125、電子メールアドレス126、希望するユーザID127、希望するパスワード128から構成される。以上の事項を入力し「送信」ボタン129を選択して、情報を画像保管サーバ1へ送信する。
【００１９】
画像保管サーバ1の管理／制御部16は受信したユーザ登録情報を確認し（ステップS2）、不備がなければデータベース部11へ登録する（ステップS3）。またユーザ登録完了通知メールを、ステップS1で登録されたユーザの電子メールアドレスへ送信する（ステップS4）。通知メールの例を図5に示す。通知メールには、ユーザ登録情報の内容と、画像データ仮登録用電子メールアドレスが記載される。ただし、セキュリティ上の観点からパスワードについては記載しない。
【００２０】
一方、画像保管サーバ1の管理／制御部16が送信されたユーザ登録情報を確認した結果、データの記入漏れがあったり、希望するユーザIDが既に別のユーザによって登録されていたりした場合には、携帯電話機2のディスプレイにエラーを示す画面が表示される（ステップS5）。ユーザは、画面に表示されたエラー内容に従ってユーザ登録情報を修正し、再度送信を行う。
【００２１】
ユーザ登録が完了し、完了通知メールの内容を確認したら（ステップS6）、ユーザは再び携帯電話機2を用いて画像保管サーバ1へアクセスし、ユーザIDとパスワードを入力して自分専用のウェブページ（マイページ）へログインする（ステップS7）。
【００２２】
マイページの例を図6に示す。マイページは、登録した画像データを検索して参照するための画像データ検索部130、フレーム画像をダウンロードするための「撮影用フレーム画像ダウンロード」ボタン136、仮登録中の画像を表示する仮登録画像データ表示部131から構成される。この時点では仮登録画像データ表示部131には画像データは一つも表示されず、空白となっている。
【００２３】
まず、マイページ上の「フレーム画像ダウンロード」ボタン136をクリックし、フレーム画像ダウンロードページを表示させる。フレーム画像ダウンロードページでは、図7に示すように、トップス撮影用フレーム137、ボトムス撮影用フレーム138の2種類のフレーム画像がダウンロードできるようになっている。ユーザはそれぞれの所有する携帯電話機2に最適な方法で前記フレーム画像2種類をダウンロードする（ステップS8）。画像保管サーバ1の管理／制御部16は、ダウンロード要求を受け付け、フレーム画像を携帯電話機2へ送信する（ステップS9）。1度ダウンロードしたフレーム画像は、携帯電話機2のメモリへ保存することにより、何度でも繰り返し利用することができる。
【００２４】
ユーザは、携帯電話機2に付属したカメラにダウンロードしたフレーム画像を設定し、手持ちの洋服を撮影する（ステップS10）。撮影例を図8に示す。後にトップスの画像データとボトムスの画像データを上下に組み合わせて違和感のないコーディネート画像を作成するため、上半身に着用する洋服（トップス）であれば、トップス撮影用フレーム137のすその部分と洋服のすその部分が合うように、下半身に着用する洋服（ボトムス）であれば、ボトムス撮影用フレーム138のウエストの部分が洋服のウエスト部分に合うようにして撮影する。フレーム画像内に洋服が収まるように撮影することにより、撮影された画像データの縮尺は全て統一される。なおフレーム画像は撮影時に補助として用いるものであり、撮影後は画像データから削除することが可能である。
【００２５】
次に、撮影した画像を画像保管サーバ1へ送信する過程について説明する。ユーザは、携帯電話機2を用いて、ステップS6で取得した取得した画像データ仮登録用電子メールアドレス宛に、画像データを添付した電子メールを送信する（ステップS11）。画像データ仮登録電子メールの例を図9に示す。画像画データさえ添付されていれば、件名及び本文は空白で良い。画像データはインターネット3を経由して画像保管サーバ1に送信される。
【００２６】
画像保管サーバ1においては、画像データの仮登録処理が行われる（ステップS12）。すなわち、画像保管サーバ1において画像データが受信されると、管理／制御部16が送信元の電子メールアドレスから認識されたユーザIDに基づいてそのユーザIDに対応するユーザ用のフォルダを作成し、受信した画像データを保管する。なお、2回目以降は、前記作成されたフォルダへ受信した画像データが保管されていく。
【００２７】
その後、管理／制御部16は、データベース部11に登録されているユーザ登録情報を参照し、ユーザの電子メールアドレス宛に画像データの仮登録が完了した旨を知らせる仮登録完了通知メールを送信する（ステップS13）。図10はその電子メールの内容の例である。
【００２８】
この時点では、画像データはまだ仮登録されただけであるため、送信した画像データについての付属情報を登録して、画像保管サーバ1のデータベース部11へ本登録する必要がある。付属情報とは、その洋服の種類（Tシャツ、セーター、スカート等）及び色（白、黒、グレー、ベージュ等）に関する情報である。これらの付属情報は、登録した画像データを検索する際に用いられる。
【００２９】
ユーザは再び携帯電話機2を用いて画像保管サーバ1へアクセスし、自分のIDとパスワードを入力してマイページへログインする（ステップS14）。図11に示すように、マイページの仮登録画像データ表示部131には、画像保管サーバ11に仮登録されている画像データ139が表示される。ユーザはその中から登録したい画像データを１つ選択する。
【００３０】
すると、図12に示すような画像データ登録画面が表示されるので、画像140を確認し、トップス／ボトムス選択部141にて、登録したい洋服が上半身に着用するものであればトップスを、下半身に着用するものであればボトムスを選択する。次に洋服の種類を、種類選択部142から選択する。トップス／ボトムス選択部141にてトップスを選択した場合はセーター、コート、ジャケット等が、ボトムスであればパンツ、スカート等が選択肢としてプルダウン形式で表示されるので、該当する種類を選択し、色選択部143では同じくプルダウン形式のメニューより洋服の色を選択する。全ての情報の入力が終了したら「登録する」ボタン144をクリックする（ステップS15）。入力した詳細情報は画像保管サーバ1へ送信され、管理／制御部16が受け付けて画像データと共にデータベース部11へ本登録する（ステップS16）。データベース部11には、画像データとその詳細データとが本登録される（ステップS17）。なお、「削除する」ボタン145は、仮登録した画像を削除したい場合に選択する。以上で画像保管サーバ1への画像データの登録は完了である。
【００３１】
次に、画像保管サーバ１に登録した画像データを検索・確認する手順を、図13を参照しながら説明する。ユーザは再び携帯電話機2を用いて画像保管サーバ1へアクセスし、自分のIDとパスワードを入力してマイページへログインする（ステップS18）。図11に示すようなマイページが表示されるので、画像データ検索部130にて自分の確認したい画像を検索する（ステップS19）。
【００３２】
まず、トップス／ボトムス選択部132にて、トップスかボトムスかを選択する。次に洋服の種類を、種類選択部133から選択する。トップス／ボトムス選択部132にてトップスを選択した場合はセーター、コート、ジャケット等が、ボトムスであればパンツ、スカート等が選択肢133としてプルダウン形式で表示されるので、該当する種類を選択する。次の色選択部134では、プルダウンメニューより洋服の色を選択する。
【００３３】
なお、画像データを検索する際には全ての条件を指定する必要はない。例えば登録されたニットの画像データを全て表示させたい場合には、トップス／ボトムス選択部132にてトップスを選択し、種類選択部133にて「ニット」とだけ指定すれば良い。希望の条件を指定し終わったら、「検索」ボタン135をクリックする。画像保管サーバ1の管理／制御部16は指定された条件でデータベース部11へ問い合わせを行い（ステップS20）、データベース部11は条件を満たした画像データを管理／制御部16へ返す（ステップS21）。管理／制御部16はデータベース部11から受け取った画像データを携帯電話機2へ送信する（ステップS22）。
【００３４】
洋服の種類を「ニット」と指定して検索した場合の検索結果表示画面の例を図15に示す。検索結果表示画面は、「別の条件で探す」ボタン146と、検索結果表示部147とから構成される。検索結果表示部147には、検索条件に合致した画像データの点数と、その画像データの一覧が表示される。これにより、ユーザは手持ちのニットをまとめて確認することができる。
【００３５】
表示された画像データの一覧から1点選択してクリックすると（ステップS23）、図16に示すような画像の詳細情報画面が表示される。詳細情報画面は、画像データ表示部148と、詳細情報表示部149と、「コーディネートフレームとしてダウンロード」ボタン150と、「コーディネートする」ボタン151と、「削除する」ボタン152と、「編集する」ボタン153と、「戻る」ボタン154とから構成されている。「戻る」ボタン154を選択すると、検索結果表示画面に戻ることができる。「削除する」ボタン152を選択すると、その画像データをデータベース部から削除することができる。また、「編集する」ボタン153を選択すると、登録されている詳細情報を変更することができる。
【００３６】
ステップS23で選択した洋服と実物の洋服との組み合わせを確認する場合、「コーディネートフレームとしてダウンロード」ボタン150を選択すると（ステップS24）、画像保管サーバ1の管理／制御部16がそのダウンロード要求を受け付け、選択した洋服の画像データをフレーム画像へ変換し携帯電話機2へ送信する（ステップS25）。コーディネートフレームは、トップスであればファインダの上半分に、ボトムスであればファインダの下半分に表示されるよう調整される。携帯電話機2は図17のように、ダウンロードしたコーディネートフレーム155をカメラのファインダへ表示させ、実物の商品をファインダの空いたスペース156へ写すことで（ステップS26）、2つの洋服の組み合わせを確認する（ステップS27）。これで、店舗に並んでいる実物の洋服との組み合わせを確認することが可能となる。
【００３７】
さらに、登録した画像データ同士を組み合わせてコーディネートを確認したい場合の手順を、図14を参照しながら説明する。ユーザは図16の画像の詳細情報画面にて「コーディネートする」ボタン151を選択する（ステップS28）。すると図18に示すような、コーディネート画面が表示される。コーディネート画面は、トップス画像データ表示部157と、ボトムス画像データ表示部158と、「前へ」ボタン159、「次へ」ボタン160、「詳細情報画面へ戻る」ボタン161、「絞り込む」ボタン162とから構成される。コーディネート画面では、ステップS23で選択した洋服がトップスであればトップス部に、ボトムスであればボトムス部に、それぞれ表示され、コーディネートする洋服は反対側に表示される。
【００３８】
最初に組み合わされる洋服は、画像保管サーバ1に保管されている画像データのうち、登録された日時の最も新しいものである。「次へ」ボタン160を選択する度に、登録された日時が新しいものから順に画像データが表示される。組み合わせる洋服を絞り込みたいときには、「絞り込む」ボタン162を選択すると図19のような画像データの検索画面が表示されるので、トップス／ボトムス選択部163、種類選択部164、色選択部165にて希望に合った洋服の条件を選んで「検索」ボタン166を押す（ステップS29）。すると画像保管サーバ1の管理／制御部16が指定された条件でデータベース部11へ問い合わせを行い（ステップS30）、データベース部11は条件を満たす画像データを管理／制御部16へ返す（ステップS31）。管理／制御部16はあらかじめ選択されていた洋服とデータベース部11から受け取った画像データとをサイズ調整した上で組み合わせて、携帯電話機2へ送信する（ステップS32）。ユーザは表示された画面を参照し、組み合わせのイメージを確認する（ステップS33）。対象となる洋服が複数あった場合には、「次へ」ボタン160をクリックすることにより、残りの洋服についても組み合わせを確認することができる。ステップS23で選択した洋服の画像データ157と組み合わせる洋服の画像データ158が1画面で表示されるよう、それぞれ同等のサイズに縮小して上下に並べて表示されるので、自然な組み合わせイメージを確認することが可能である。
【００３９】
ここでは洋服の画像データを調整・表示する方法について記載したが、本発明はそれに限らず、他の種類の画像データにも利用できる。例えばネットワーク上のサーバへ登録しておいた風景等の画像データを、フレーム画像に変換してダウンロードさせることで、オリジナルのフレーム画像を作成・提供することも可能である。
【００４０】
また、ユーザ端末としては携帯電話機2を用いる方法について記載したが、パソコンやPDA等のインターネットに接続可能な端末であればどれでも利用することができる。それらの端末を用いる場合には、画像アップロードは電子メールに添付して送信する必要はなく、画像保管サーバ1のウェブサーバ部12へアクセスしてログインし、表示される自分専用のページにて、アップロードしたい画像を選択し画像データの登録を行えば良い。
【図面の簡単な説明】
【００４１】
【図１】本発明のシステム構成を示す図である。
【図２】画像保管サーバの構成を示すブロック図である。
【図３】画像データを画像保管サーバへ登録するまでの動作を説明する流れ図である。
【図４】ユーザ登録画面の例を示す図である。
【図５】ユーザ登録完了通知メールの例を示す図である。
【図６】画像データ仮登録前のマイページの画面例を示す図である。
【図７】撮影用フレームダウンロードページの画面例を示す図である。
【図８】撮影用フレーム画像を使った洋服の撮影例を示す図である。
【図９】画像データ仮登録用電子メールの例を示す図である。
【図１０】画像データ仮登録完了メールの例を示す図である。
【図１１】画像データ仮登録後のマイページの画面例を示す図である。
【図１２】画像データ登録画面の例を示す図である。
【図１３】画像データと実物の洋服との組み合わせ確認の手順を示す流れ図である。
【図１４】画像データの確認及びコーディネートの作成の手順を示す流れ図である。
【図１５】画像データの検索結果表示画面の例を示す図である。
【図１６】画像データの詳細情報表示画面の例を示す図である。
【図１７】ファインダへコーディネートフレームを表示させた状態の例を示す図である。
【図１８】コーディネート画面の例を示す図である。
【図１９】画像データ検索画面の例を示す図である。
【符号の説明】
【００４２】
１      画像保管サーバ
２      携帯電話機
３      インターネット
４      移動通信網
１１    データベース部
１２    ウェブサーバ部
１３    メールサーバ部
１４    ドメインネームサーバ部
１５    ファイアウォール部
１６    管理／制御部
１２１  氏名
１２２  生年月日
１２３  性別
１２４  住所
１２５  携帯電話番号
１２６  電子メールアドレス
１２７  希望するユーザＩＤ
１２８  希望するパスワード
１２９  「送信」ボタン
１３０  画像データ検索部
１３１  仮登録画像データ表示部
１３２  トップス／ボトムス選択部
１３３  種類選択部
１３４  色選択部
１３５  「検索」ボタン
１３６  「撮影用フレーム画像ダウンロード」ボタン
１３７  トップス撮影用フレーム
１３８  ボトムス撮影用フレーム
１３９  仮登録画像データ
１４０  画像データ表示部
１４１  トップス／ボトムス選択部
１４２  種類選択部
１４３  色選択部
１４４  「登録する」ボタン
１４５  「削除する」ボタン
１４６  「別の条件で探す」ボタン
１４７  検索結果表示部
１４８  画像データ表示部
１４９  詳細情報表示部
１５０  「コーディネートフレームとしてダウンロード」ボタン
１５１  「コーディネートする」ボタン
１５２  「削除する」ボタン
１５３  「編集する」ボタン
１５４  「戻る」ボタン
１５５  コーディネートフレーム
１５６  ファインダ空きスペース
１５７  トップス画像データ表示部
１５８  ボトムス画像データ表示部
１５９  「前へ」ボタン
１６０  「次へ」ボタン
１６１  「詳細画面へ戻る」ボタン
１６２  「絞り込む」ボタン
１６３  トップス／ボトムス選択部
１６４  種類選択部
１６５  色選択部
１６６  「検索」ボタン
【図１】
2005266865.tif 000003
【図２】
2005266865.tif 000004
【図３】
2005266865.tif 000005
【図４】
2005266865.tif 000006
【図５】
2005266865.tif 000007
【図６】
2005266865.tif 000008
【図７】
2005266865.tif 000009
【図８】
2005266865.tif 000010
【図９】
2005266865.tif 000011
【図１０】
2005266865.tif 000012
【図１１】
2005266865.tif 000013
【図１２】
2005266865.tif 000014
【図１３】
2005266865.tif 000015
【図１４】
2005266865.tif 000016
【図１５】
2005266865.tif 000017
【図１６】
2005266865.tif 000018
【図１７】
2005266865.tif 000019
【図１８】
2005266865.tif 000020
【図１９】
2005266865.tif 000021